(57)【要約】【課題】  大容量の二次電池を内蔵しなくても撮像画像の記憶又は無線伝送を行えるコードレス電話子機を提案する。【解決手段】  本発明のコードレス電話子機（２００）は、画像撮影を行う画像撮影部（２０４）と、電力を蓄電する二次電池（２０９）と、画像撮影部（２０４）が撮影した撮像画像を無線伝送する無線部（２０２）と、画像撮影部（２０４）が撮影した撮像画像を記憶する記憶部（２０５）と、二次電池（２０９）に蓄電された電力を画像撮影部（２０４）、無線部（２０２）、及び記憶部（２０５）に供給する電源回路（２０６）とを備え、電源回路（２０６）は二次電池（２０９）が充電器（４００）によって充電されているときに撮像画像の記録又は無線伝送に必要な電力を画像撮影部（２０４）、無線部（２０２）、及び記憶部（２０５）に供給する。【選択図】    図１
2005311982.tif 000002
【特許請求の範囲】
【請求項１】
画像撮影を行う画像撮影部と、電力を蓄電する二次電池と、前記画像撮影部が撮影した撮像画像を無線伝送する無線部と、前記画像撮影部が撮影した撮像画像を記憶する記憶部と、前記二次電池に蓄電された電力を前記画像撮影部、前記無線部、及び前記記憶部に供給する電源回路とを備え、前記電源回路は前記二次電池が充電器によって充電されているときに撮像画像の記録又は無線伝送に必要な電力を前記画像撮影部、前記無線部、及び前記記憶部に供給する、コードレス電話子機。
【請求項２】
請求項１に記載のコードレス電話子機に内蔵された二次電池を充電するための充電器であって、前記画像撮影部の撮影方向を調整するために前記コードレス電話子機の姿勢制御を行う可動部を備える、充電器。
【発明の詳細な説明】
【技術分野】
【０００１】
本発明は定点観測機能を搭載したコードレス電話子機に関し、特に、大容量の二次電池を内蔵しなくても撮像画像の記憶又は無線伝送を行うための改良技術に関する。
【背景技術】
【０００２】
特開２００４−１１２４４４号公報には、カメラを搭載した子機が撮影した撮像画像を親機に無線送信し、これを受信した親機が表示部に表示するコードレス電話機が開示されている。このコードレス電話機によれば、カメラ搭載子機を任意の場所に設置し、当該設置場所の映像を親機の表示部をモニタ画面として視認できるため、コードレス電話機の利便性を高めることができる。
【特許文献１】特開２００４−１１２４４４号公報
【発明の開示】
【発明が解決しようとする課題】
【０００３】
しかし、カメラで撮影した撮像画像を内蔵メモリに記憶し、又は撮像画像を親機に無線伝送するには、電力を相当消費するため、子機に内蔵されている二次電池では容量が少ないという問題がある。
【０００４】
そこで、本発明はこのような問題を解決し、大容量の二次電池を内蔵しなくても撮像画像の記憶又は無線伝送を行えるコードレス電話子機を提案することを課題とする。また本発明は定点観測に好適な充電器を提案することを課題とする。
【課題を解決するための手段】
【０００５】
上記の課題を解決するため、本発明のコードレス電話子機は、画像撮影を行う画像撮影部と、電力を蓄電する二次電池と、画像撮影部が撮影した撮像画像を無線伝送する無線部と、画像撮影部が撮影した撮像画像を記憶する記憶部と、二次電池に蓄電された電力を画像撮影部、無線部、及び記憶部に供給する電源回路とを備え、電源回路は二次電池が充電器によって充電されているときに、撮像画像の記録若又は無線伝送に必要な電力を画像撮影部、無線部、及び記憶部に供給する。撮像画像の記録又は無線伝送に必要な電力を二次電池が充電されている状態で画像撮影部、無線部、記憶部等に供給することで、大容量の二次電池をコードレス電話子機に内蔵しなくても撮像画像の記憶又は無線伝送を行うことができる。
【０００６】
本発明の充電器は本発明のコードレス電話子機に内蔵された二次電池を充電するための充電器であって、画像撮影部の撮影方向を調整するために当該コードレス電話子機の姿勢制御を行う可動部を備える。充電器に載置されたコードレス電話子機の姿勢を制御することで、撮影方向を調整することが可能になる。
【発明の効果】
【０００７】
本発明によれば、撮像画像の記録又は無線伝送に必要な電力を二次電池が充電されている状態で画像撮影部、無線部、記憶部等に供給することで、大容量の二次電池をコードレス電話子機に内蔵しなくても撮像画像の記憶又は無線伝送を行うことができる。
【発明を実施するための最良の形態】
【０００８】
図１は本実施形態のコードレス電話機の構成図である。コードレス電話機１００は子機２００と親機３００を備えて構成されている。図中、実線は電力供給ラインを示し、点線は制御信号ラインを示している。また説明の便宜上、撮像画像の処理系統を中心に図示しており、音声通話に必要な音声信号の処理系統は省略している。子機２００は、主に、画像撮影を行う画像撮影部２０４と、撮像画像を記憶する記憶部２０５と、撮像画像を親機３００に無線伝送する無線部２０２と、無線信号を送受信するアンテナ２０１と、電力を蓄電する二次電池２０９と、充電器（外部電源）４００から供給される電力を二次電池２０９に充電する充電回路２０７と、充電回路２０７と充電器４００との電気的接続を検出する充電検出回路２０８と、二次電池２０９に蓄電された電力を各部に分配する電源回路２０６と、子機２００全体を制御する制御部２０３と、を備えて構成されている。
【０００９】
尚、説明の便宜上、子機２００の台数を１基としているが、子機２００を複数設置し、各々の子機２００から親機３００に撮像画像を無線伝送するように構成してもよい。
【００１０】
子機２００が充電器４００の載置台などに載置されることによって、充電回路２０７と充電器４００が電気的に接続すると、二次電池２０９の充電が行われる。充電検出回路２０８は充電回路２０７の端子間の電圧等を検出することにより、充電回路２０７と充電器４００との電気的接続を検出する。非充電時（例えば通話中など）には、電源回路２０６は音声通信などに必要な電力を無線部２０２と制御部２０３に供給するが、相当量の電力を必要とする画像撮影部２０４には電力の供給を休止し、画像撮影機能を停止させている。一方、充電時には、電源回路２０６は無線部２０２と制御部２０３だけでなく、画像撮影部２０４や記憶部２０５にも電力供給を行い、画像撮影に必要な電力（撮像画像の記録又は無線伝送の何れか一方に必要な電力、又は撮像画像の記録及び無線伝送に必要な電力）を確保する。画像撮影部２０４はＣＣＤ（Charge Coupled Device）等の固体撮像素子や光学レンズ等で構成されるカメラ部２０４ａと、撮像画像を画像処理（ズーム処理、画像圧縮処理等）する画像処理部２０４ｂを備えて構成されている。画像撮影部２０４で撮影された撮像画像は無線部２０２に送られて親機３００に無線伝送されるか、又は画像処理部２０４ｂにて画像圧縮等の処理が施されて記憶部２０５に蓄積（録画）される。
【００１１】
一方、親機３００は、無線信号を送受信するアンテナ３０１と、子機２００から無線伝送された撮像画像を受信する無線部３０２と、受信した撮像画像を画像処理する画像処理部３０４と、撮像画像を表示する画像表示部３０５と、ユーザがキー入力を行うための操作部３０６と、電話回線に接続する回線インターフェース部３０７と、親機３００全体を制御する制御部３０３と、を備えて構成されている。
【００１２】
上述の構成において、子機２００を充電器４００に載置する等して充電を開始すると、子機２００は自動的に画像撮影を開始し、親機３００への撮像画像の無線伝送又は記憶部２０５への録画を行う。充電器４００上で画像撮影を行うことで、子機２００による定点観測が可能になる。一方、子機２００の充電を解除すると、画像撮影は中止され、親機３００への撮像画像の無線伝送及び記憶部２０５への録画も停止される。画像撮影は子機２００が充電器４００に載置されている間に常時行うように構成してもよく、又は一定時間間隔で間欠的に画像撮影を行うように構成してもよい。また、子機２００が充電器４００に載置されているときには親機３００からの指示により画像の送信と録画を切り替えるように構成し、以下の動作を可能とするように設定してもよい。
（１）子機２００が通話中の場合や、撮像画像を無線伝送している最中にインカミング・コール（incoming call）又は他の子機からの発信要求等により撮像画像の無線伝送ができない場合がある。このような場合には撮像画像を記憶部２０５に録画しておき、無線伝送可能なときに無線伝送を行う。
（２）親機３００からの指示により子機２００は常時録画を行い、撮像画像を記憶部２０５へ蓄積する。この撮像画像は親機３００からの要求により必要に応じて親機３００へ無線伝送される。親機３００から子機２００への指示は操作部３０６への入力操作によって行ってもよく、外線又はパーソナルコンピュータなどを通じて行ってもよい。
【００１３】
図２は子機２００の撮影方向を調整する様子を説明するための説明図である。同図（ａ）に示すように子機２００のカメラ部２０４ａは水平方向に対してやや下向きを撮影するように取り付けられている。同図（ｂ）に示すように充電器４００は画像撮影部２０４の撮影方向を調整するために子機２００の姿勢制御を行う可動部４０１と、固定部４０２を備えている。可動部４０１は子機２００を載置するためのチャージ台であり、ヒンジ機構等で固定部４０２に対して傾動可能に構成されている。ここで、実線は可動部４０１の通常位置、一点鎖線は通常位置よりもより寝かせた位置、二点鎖線は通常位置よりもより立たせた位置である。同図（ｃ）に示すように可動部４０１を通常位置にセットし、可動部４０１上に子機２００を載置すると、カメラ部２０４ａが水平方向を向くように子機２００の姿勢が制御される。この位置で定点観測を行うと、充電器４００から水平方向に視える範囲を観測できる。
【００１４】
同図（ｄ）に示すように可動部４０１を通常位置よりも寝かせた位置にセットし、可動部４０１上に子機２００を載置すると、カメラ部２０４ａが水平方向より上方向を向くように子機２００の姿勢が制御される。この位置で定点観測を行うと、水平方向より上向きに視える範囲を観測できる。同図（ｅ）に示すように可動部４０１を通常位置よりも立たせた位置にセットし、可動部４０１上に子機２００を載置すると、カメラ部２０４ａが水平方向より下方向を向くように子機２００の姿勢が制御される。この位置で定点観測を行うと、水平方向より下向きに視える範囲を観測できる。
【００１５】
尚、可動部４０１の位置は画像撮影時に固定されている必要はなく、親機３００等の指示に基づいてその位置を自動的に変更できるように構成してもよい。また、撮影方向を上下方向に限らず、左右方向にも調整できるように可動部４０１に回転機構等を更に追加してもよい。また、カメラ部２０４ａを子機２００本体に対して可動可能に構成し、親機３００等の指示により撮影方向を自在に変更できるように構成してもよい。
【００１６】
本実施例によれば、画像撮影に必要な電力を充電器４００から得ることができるため、子機２００に内蔵される二次電池２０９の容量を大きくする必要がなく、小容量の二次電池２０９で足りる。また、子機２００に撮像画像を録画しておくことで、親機３００と無線接続しないで定点観測等を行い、親機３００からの指示に従ってその録画した画像を親機３００にて確認することもできる。また、複数の子機２００を監視カメラとして設置しておき、これら複数の子機２００にて撮影された撮像画像をソフトウエアにて解析することで、侵入者の発見等を行い、異常発生の通知等が可能になる。
【図面の簡単な説明】
【００１７】
【図１】コードレス電話機の構成図である。
【図２】子機の撮影方向を調整する様子を説明するための説明図である。
【符号の説明】
【００１８】
１００…コードレス電話機  ２００…子機  ２０４…画像撮影部  ２０６…電源回路  ２０９…二次電池  ３００…親機  ４００…充電器
【図１】
2005311982.tif 000003
【図２】
2005311982.tif 000004